(57)【特許請求の範囲】
【請求項１】
印刷部を用いて印刷処理を行わせる印刷制御装置であって、
前記印刷部のメンテナンス処理の実行条件が成立したか判断する判断手段と、
第１のメンテナンス処理の実行条件が成立し且つ当該第１のメンテナンス処理が完了する前に、前記判断手段により第２のメンテナンス処理の実行条件が成立したと判断された場合に、前記第１のメンテナンス処理と前記第２のメンテナンス処理とを結合させ、前記第１のメンテナンス処理と前記第２のメンテナンス処理とで重複するメンテナンスを短縮した第３のメンテナンス処理を生成する生成手段と、
前記生成手段により生成した第３のメンテナンス処理を実行させる制御手段とを有することを特徴とする印刷制御装置。
【請求項２】
前記第１のメンテナンス処理と前記第２のメンテナンス処理は、それぞれ複数のメンテナンスを実行するものであり、互いに重複するメンテナンスと重複しないメンテナンスを実行し、
前記生成手段は、前記第１メンテナンス処理で実行するメンテナンスと前記第２のメンテナンス処理で実行するメンテナンスのうち重複するメンテナンスの一方を省略することにより前記第３のメンテナンス処理を生成することを特徴とする請求項１に記載の印刷制御装置。
【請求項３】
前記第１のメンテナンス処理の実行条件は、前記第２のメンテナンス処理の実行条件とは異なる条件であることを特徴とする請求項１又は２に記載の印刷制御装置。
【請求項４】
ジョブをキューにより管理する管理手段を有し、
前記管理手段は、各メンテナンス処理をジョブとしてキューにより管理することを特徴とする請求項１〜３のいずれか１項に記載の印刷制御装置。
【請求項５】
前記生成手段は、前記管理手段により管理されているキューに前記第１のメンテナンス処理がジョブとして管理されている際に前記判断手段により前記第２のメンテナンス処理の実行条件が成立したと判断された場合、前記第３のメンテナンス処理を生成することを特徴とする請求項４に記載の印刷制御装置。
【請求項６】
前記生成手段は、前記管理手段により管理されているキューに前記第１のメンテナンス処理のジョブ及び前記第２のメンテナンス処理のジョブが登録される前に、前記判断手段により前記第１のメンテナンス処理の実行条件及び第２のメンテナンス処理の実行条件が成立したと判断された場合、前記第３のメンテナンス処理を生成することを特徴とする請求項４又は５に記載の印刷制御装置。
【請求項７】
前記管理手段は、前記生成手段により前記第３のメンテナンス処理が生成され且つ前記キューに前記第１のメンテナンス処理のジョブ及び／又は前記第２のメンテナンス処理のジョブが登録されている場合、そのメンテナンス処理のジョブを前記キューから削除するとともに、前記第３のメンテナンス処理のジョブを前記キューに登録させることを特徴とする請求項４〜６のいずれか１項に記載の印刷制御装置。
【請求項８】
前記管理手段は、前記キューに印刷ジョブとメンテナンス処理用のジョブが登録されている場合、メンテナンス処理が、前記キューに登録されている印刷が開始されていない印刷ジョブより先に実行されるように、前記キューにおけるジョブの順序を入れ替えることを特徴とする請求項４〜７のいずれか１項に記載の印刷制御装置。
【請求項９】
前記メンテナンス処理を行うための条件が、ドットカウント値、所定時間の経過、印刷枚数、印刷ページ数、装置起動、記録材の交換、又は記録剤交換を含むことを特徴とする請求項１〜８のいずれか１項に記載の印刷制御装置。
【請求項１０】
前記印刷部がインクジェット方式により印刷を行うことを特徴とする請求項１〜９のいずれか１項に記載の印刷制御装置。
【請求項１１】
メンテナンス処理は、インク吐出部の吸引処理、インク吐出面の拭き取り、インク吐出不良ノズルの補正処理、インク吐出状態のばらつきの補正処理、インク吐出量の補正、及び予備吐出処理のうち少なくとも１つのメンテナンスを含むことを特徴とする請求項１０に記載の印刷制御装置。
【請求項１２】
前記印刷部を備えることを特徴とする請求項１〜１１のいずれか１項に記載の印刷制御装置。
【請求項１３】
印刷部を用いて印刷処理を行わせる印刷制御装置の印刷制御方法であって、
前記印刷部のメンテナンス処理の実行条件が成立したか判断する判断工程と、
第１のメンテナンス処理の実行条件が成立し且つ当該第１のメンテナンス処理が完了する前に、前記判断工程により第２のメンテナンス処理の実行条件が成立したと判断された場合に、前記第１のメンテナンス処理と前記第２のメンテナンス処理とを結合させ、前記第１のメンテナンス処理と前記第２のメンテナンス処理とで重複するメンテナンスを短縮した第３のメンテナンス処理を生成する生成工程と、
前記生成工程において生成した第３のメンテナンス処理を実行させる工程とを有することを特徴とする印刷制御装置の制御方法。
【請求項１４】
請求項１〜１２のいずれか１項に記載の印刷制御装置の各手段、または請求項１３に記載の印刷制御方法をコンピュータにより実行させるためのプログラム。
【発明の詳細な説明】
【技術分野】
【０００１】
本発明は所定の条件が成立した場合にメンテナンス処理を行う印刷制御装置、方法及びプログラムに関する。
【背景技術】
【０００２】
従来、インクやトナーなどの記録剤を用いて画像の印刷を行う印刷装置において、例えばキャリブレーション処理などのメンテナンス処理を行うものが知られている（特許文献１参照）。また、このようなメンテナンス処理は、例えば所定時間経過毎、所定枚数印刷毎、所定ドット数の印刷毎など種々の条件の成立に応じて実行される。
【先行技術文献】
【特許文献】
【０００３】
【特許文献１】特開２００５−１３１８０９号公報
【発明の概要】
【発明が解決しようとする課題】
【０００４】
しかしながら、メンテナンス処理を実行すべき種々の条件がそれぞれ近い時期に成立した場合、短い期間に同じ内容のメンテナンス処理が実行されてしまう。そのため、メンテナンス処理が行われている間、通常の印刷ジョブを長時間待たせたり、無駄にメンテナンス処理が行われてしまうなどの問題が発生してしまう。
【０００５】
本発明は上述の問題点に鑑みなされたものであり、メンテナンス処理を効率的に実行させることのできる印刷制御装置、方法及びプログラムを提供するものである。
【課題を解決するための手段】
【０００６】
上記課題を解決するため、本発明の印刷制御装置は、印刷部を用いて印刷処理を行わせる印刷制御装置であって、前記印刷部のメンテナンス処理の実行条件が成立したか判断する判断手段と、第１のメンテナンス処理の実行条件が成立し且つ当該第１のメンテナンス処理が完了する前に、前記判断手段により第２のメンテナンス処理の実行条件が成立したと判断された場合に、前記第１のメンテナンス処理と前記第２のメンテナンス処理とを結合させ、前記第１のメンテナンス処理と前記第２のメンテナンス処理とで重複するメンテナンスを短縮した第３のメンテナンス処理を生成する生成手段と、前記生成手段により生成した第３のメンテナンス処理を実行させる制御手段とを有する。
【発明の効果】
【０００７】
本発明によれば、印刷手段のメンテナンス処理として複数のメンテナンス処理を行うべき場合、重複した処理を統合した上で複数のメンテナンス処理を実行させるので、効率的にメンテナンス処理を行うことができる。
【図面の簡単な説明】
【０００８】
【図１】本発明の実施形態の一例である画像形成装置の構成を示す図である。
【図２】図１の画像形成装置の制御に関わる構成を示すブロック図である。
【図３】メンテナンス０１を単独で実施する場合の処理の流れを示すフローチャートである。
【図４】メンテナンス０２を単独で実施する場合の処理の流れを示すフローチャートである。
【図５】複数のメンテナンスジョブを結合したメンテナンス０３を実施する場合の処理の流れを示すフローチャートである。
【図６】メンテナンスジョブの処理の流れを示すフローチャートである。
【発明を実施するための形態】
【０００９】
以下、本発明を実施するための形態について図面を用いて説明する。なお、この実施の形態で用いる装置の各構成要素の相対配置、装置形状等は、あくまで例示であり、それらのみに限定するものではない。
【００１０】
図１は、本実施形態における印刷制御装置の一例となる画像形成装置の概略構成を示す図である。図１の画像形成装置は、外部装置から受信したデータを印刷する印刷機能のみを有したものを示すが、これに限らず、原稿上の画像を読取る読取装置をさらに備えて複写機として機能するものや他の機能を加えた複合装置としてもよい。
【００１１】
また、印刷処理を行う記録材（被記録媒体または記録シート）としてロールシートを用いたものを例に説明する。このロールシートは連続シートの例であるが、同一面への複数ページ分の印刷を途中で切断せずに続けて行える長尺の連続シートであれば、ロール状となったものには限らない。また、連続シートの切断は、画像形成装置が自動的に切断するものであってもよいし、ユーザがマニュアル指示を行って切断するものであってもよい。記録材の材質も紙には限らず、印刷処理可能なものであれば種々のものを用いることができる。また、画像形成装置は、連続シートへの印刷のみではなく、所定のサイズに予めカットされたカットシートへの印刷をも可能な画像形成装置としてもよい。
【００１２】
また、印刷方式は後述する画像印刷用液体インクを用いたインクジェット方式による画像の印刷には限らない。記録材に付与する記録剤として固形インクを用いてもよいし、トナーを用いた電子写真方式、昇華方式、熱転写方式、ドットインパクト方式など種々のものを採用可能である。また、複数色の記録剤を用いたカラー記録を行うものには限らず、黒色（グレーを含む）のみによるモノクロ記録を行うものとしてもよい。また、印刷は、可視画像の印刷には限らず、不可視もしくは視認が困難な画像の印刷としてもよいし、一般的な画像以外の、例えば配線パターン、部品の製造における物理的パターン、ＤＮＡの塩基配列等のプリントなど種々のものの印刷としてもよい。つまり、記録剤を記録材に付与可能なものであれば種々のタイプの記録装置に適用可能である。また、図１の画像形成装置と接続された外部装置からの指示で当該画像形成装置における印刷処理の動作を制御させる場合、この外部装置が印刷制御装置となる。
【００１３】
図１は、記録材としてロールシート（搬送方向において印刷単位（１ページ）の長さよりも長い連続した連続シート）を用いた画像形成装置の全体構成の概略を示す断面図である。画像形成装置は、以下の構成要素１０１〜１１５を含み、これらが１つの筐体内に配置される。ただし、これらの構成要素を複数の筐体に分けて構成してもよい。
【００１４】
制御ユニット１０８は、コントローラ（ＣＰＵまたはＭＰＵを含む）やユーザインターフェース情報の出力器（表示情報や音響情報などの発生器）、各種Ｉ／Ｏインターフェースを備えた制御部を内蔵し、画像形成装置全体の各種制御を司る。
【００１５】
ロールシートを保持し、そして供給するユニットとして上段シートカセット１０１ａと下段シートカセット１０１ｂの２基を備える。使用者はロールシート（以下、シート）をマガジンに装着してから画像形成装置本体に装填する。上段シートカセット１０１ａから引き出されたシートは図中ａ方向に、下段シートカセット１０１ｂから引き出されたシートは図中ｂ方向にそれぞれ搬送される。いずれのカセットからのシートも図中ｃ方向に進行して搬送ユニット１０２に到達する。搬送ユニット１０２は、複数の回転ローラ１０４を通して印刷処理中にシートを図中ｄ方向（水平方向）に搬送する。供給元のシートカセットを一方から他方に切り替える際は、既に引き出されているシートをカセット内に巻き戻し、新たに供給させるシートがセットされているカセットから新たに供給する。
【００１６】
搬送ユニット１０２の上方にはヘッドユニット１０５が搬送ユニット１０２と対向して配置される。ヘッドユニット１０５では複数色（本実施形態では７色）分の独立した印刷ヘッド１０６がシートの搬送方向に沿って保持されている。本例ではＣ（シアン）、Ｍ（マゼンタ）、Ｙ（イエロー）、ＬＣ（ライトシアン）、ＬＭ（ライトマゼンタ）、Ｇ（グレー）、Ｋ（ブラック）の７色に対応した７つの印刷ヘッドを有す。もちろん、これら以外の色を用いたものでもよいし、これらの全てを用いる必要もない。
【００１７】
本画像形成装置は、搬送ユニット１０２によるシートの搬送に同期させて、印刷ヘッド１０６からインクを吐出させてシート上に画像を形成する。なお、印刷ヘッド１０６はインクの吐出先が回転ローラ１０４と重ならない位置に配置される。インクはシートに直接吐出させるのに代え、中間転写体にインクを付与した後、そのインクをシートに付与することによって画像を形成させるものとしてもよい。
【００１８】
これら搬送ユニット１０２、ヘッドユニット１０５、印刷ヘッド１０６を含んで本実施形態の印刷用ユニットが構成されている。
【００１９】
インクタンク１０９は各色のインクを独立して貯蔵する。インクタンク１０９からはチューブによって各色に対応して設けられたサブタンクまでインクが供給され、サブタンクから各印刷ヘッド１０６までチューブを介してインクが供給される。印刷ヘッド１０６は、印刷時の搬送方向ｄ方向に沿って各色（本実施形態では７色）のラインヘッドが並んでいる。各色のラインヘッドは、継ぎ目無く単一のノズルチップで形成されたものであってもよいし、分割されたノズルチップが一列又は千鳥配列のように規則的に並べられたものであってもよい。本実施形態では、本装置が使用可能な最大サイズのシートの印刷領域の幅分をカバーする範囲にノズルが並んでいる所謂フルマルチヘッドとする。ノズルからインクを吐出するインクジェット方式は、発熱素子を用いた方式、ピエゾ素子を用いた方式、静電素子を用いた方式、ＭＥＭＳ素子を用いた方式等を採用することができる。印刷データに基づいて各ヘッドのノズルからインクが吐出されるが、吐出のタイミングは搬送用エンコーダ１０３の出力信号によって決定される。
【００２０】
また、印刷ヘッド１０６の幅は本画像形成装置において使用可能なシートの幅より長く、一回の記録で全ノズルから吐出されることはない。従って、印刷ヘッド１０６のシート上へのインク吐出によるメンテナンスの際は、印刷ヘッド１０６をシートの搬送方向と直交する方向に移動（Ｙ移動）させながら全ノズルからの吐出処理を行う。即ち、１回目の吐出処理では、印刷ヘッド１０６の全ノズルのうち一部のノズルからインクをシート上に吐出させ、２回目の吐出処理では印刷ヘッド１０６をＹ移動させ、残りのノズルからインクをシート上に吐出させる。また、印刷ヘッド１０６のメンテナンス処理としては印刷ヘッド１０６の吸引処理及び吐出面の拭き取り（ワイピング処理）、インク不吐出ノズルの補正処理、インク吐出のばらつきの補正処理、インク吐出量の補正、予備吐出処理など種々のものがある。これらのメンテナンス処理は所定時間経過毎、待機時間が所定時間に経過した場合、所定ページ数の印刷毎、ドットカウント（インク吐出ドット数）が所定数に達する毎などによって実行される。また、これらのタイミング毎に異なるメンテナンス処理が実行されることもある。
【００２１】
シートに画像が形成された後、当該シートは搬送ユニット１０２から、スキャナユニット１０７まで搬送される。スキャナユニット１０７では、シート上の印刷画像や特殊パターンを光学的に読取って印刷画像に問題がないかどうかの確認や、インクの吐出状態を含む本装置の状態確認等を行う。印刷画像の確認方法としては、ヘッドの状態の確認するためのパターンを読み込むことによるインクの吐出状態を確認するものでもよいし、元画像との比較を行うことによる印刷の成否を確認するものでもよい。確認の方法は種々のものの中から適宜選択することが可能である。
【００２２】
シートはスキャナユニット１０７近傍からｅ方向に搬送され、カッタユニット１１０に導入される。カッタユニット１１０ではシートを所定の印刷単位の長さ毎に切断する。印刷する画像サイズに応じてこの所定の印刷単位の長さは異なる。例えばＬ版サイズの写真では搬送方向の長さは１３５ｍｍ、Ａ４サイズでは搬送方向の長さは２９７ｍｍとなる。カッタユニット１１０は、片面印刷の場合はページ単位でシートを切断するが、印刷ジョブの内容によってはページ単位で切断しない場合もある。また、カッタユニット１１０は両面印刷の場合、シートの第１面（先に印刷が行われる面。たとえばおもて面）はページ単位で切断せずに所定の長さ分まで画像を連続して印刷し、第２面（後に印刷が行われる面。たとえば裏面）を印刷した場合にページ単位で切断する。なお、カッタユニット１１０は、片面印刷や両面印刷の裏面印刷に際し、１枚の画像毎に切断するものに限らない。所定の長さ分搬送されるまで切断せず、所定の長さまで搬送された後で切断し、１枚（１頁）の画像毎に切り離すのは別のカッタ装置で手動操作等によって切断するものとしてもよい。またシートの幅方向に関しては、切断が必要な場合、別のカッタ装置を用いて切断することになる。
【００２３】
カッタユニット１１０から搬送されたシートは、ユニット内を図中ｆ方向に搬送され、裏面印字ユニット１１１に搬送される。裏面印字ユニット１１１は、シートの片面のみに画像を印刷する場合に、シートの裏面に所定の情報を印刷させるためのユニットである。シートの裏面に印刷する情報としては、印刷画像毎に対応した文字、記号、コード等の情報（例えば、オーダー管理用番号等）が含まれる。裏面印字ユニット１１１は、印刷ヘッド１０６が両面印刷の印刷ジョブのための画像を印刷する場合、印刷ヘッド１０６が画像を印刷する領域以外に上記のような情報を印刷する。裏面印字ユニット１１１は、記録剤の押印、熱転写、インクジェットなどの方式を採用可能である。
【００２４】
裏面印字ユニット１１１を通ったシートは、次に乾燥ユニット１１２に搬送される。乾燥ユニット１１２は、インクが付与されたシートを短時間で乾燥させるために、ユニット内を図中ｇ方向に通過するシートを温風（加温された気体（空気））で加熱するユニットである。なお、乾燥の方法は温風を用いるのに代え、冷風、ヒーターによる加温、待機させることのみによる自然乾燥、紫外光等の電磁波の照射など種々のものも採用可能である。印刷単位長さに切断されたシートは１枚ずつ乾燥ユニット１１２内を通過して、図中ｈ方向に搬送されて仕分けユニット１１４に搬送される。
【００２５】
仕分けユニット１１４は、複数のトレー（本実施形態では１８個）を保持しており、印刷単位の長さ等に応じでシートの排出先のトレーを区別する。各トレーにはトレー番号が割り当てられている。仕分けユニット１１４では、ユニット内を図中ｉ方向に通過するシートを、各トレー上に設けられたセンサでトレーの空きやシートが満載か否かなどを確認しながら印刷画像毎に設定されたトレー番号に対応するトレーに排出していく。切断されたシートの排出先となるトレーは、印刷ジョブの発行元（ホスト装置）で特定のものが指定される場合や、画像形成装置側で空いているトレーが任意に指定される場合がある。１つのトレーには予め決められた枚数まで排出可能である。この予め決められた枚数を超える印刷ジョブの場合、複数のトレーに跨って排出される。トレーに対して排出可能なシートの枚数やサイズ、種類などは、そのトレーの大きさ（タイプ）等によって異なっている。図１において縦（上下）に並んでいるトレー（以下、大トレー）は大サイズ（Ａ４サイズ等、Ｌ版サイズより大きいもの）のシート、小サイズ（Ｌ版サイズ）のシートの排出が可能である。また、横（左右）に並んでいるトレー（以下、小トレー）は小サイズ（Ｌ版サイズ）のシートの排出が可能であるが大サイズのシートの排出はできない。そして、大トレーの方が小トレーより排出可能なシートの出力枚数が多い。また、シート排出中や排出完了等の状態は、表示器を用いてユーザが識別可能にする（例えば、ＬＥＤ等を用いる）。例えば、トレーのそれぞれに互いに異なる色で発光する複数のＬＥＤを設け、点灯しているＬＥＤの色や点灯状態か点滅状態かなどによって各トレーの種々の状態をユーザに通知可能である。また、複数のトレーのそれぞれには優先順位を付すことができ、画像形成装置２００は、印刷ジョブを実行するにあたり、空いている（シートが存在しない）トレーを、優先順位に従って順にシートの排出先として割り当てていく。デフォルトでは、大トレーは上のトレーほど優先順位が高く、小トレーは左側ほど優先順位が高い。また大トレーより、小トレーの優先順位が高い。この優先順位はユーザがシートを取り出しやすい位置の優先順位を予め高く設定しておいてもよい。またユーザによる操作等で適宜変更可能なものとしてもよい。
【００２６】
シート巻取りユニット１１３は、ページ毎に切断されずにおもて面が印刷されたシートの巻取りを行う。両面印刷の際にはまずおもて面に画像形成が行われたシートを、カッタユニット１１０でページ単位では切断せず、連続したおもて面の印刷が終了した後に切断する。おもて面が印刷されたシートは、ユニット内を図中のｊ方向に通過し、シート巻取りユニット１１３が巻取る。そして、一連のページ分のおもて面の画像形成が終了して、巻き取られたシートは、先のおもて面とは反対面を印刷可能な面にして、つまり印刷ヘッド１０６に対向させる面を反転させて、再度ユニットの図中のｋ方向に搬送される。このように搬送させることで、先のおもて面とは反対の裏面の画像の印刷を行わせる。通常の片面印刷の場合は、画像が印刷されたシートは、シート巻取りユニット１１３による巻取りを行わせずに仕分けユニット１１４に搬送される。
【００２７】
このように、シートの両面印刷の際は、シート巻取りユニット１１３を用いてシートの巻取りを行い、シートを反転させて裏面の印刷を行う。そのため、シートの片面のみへの印刷のときとシートの両面への印刷のときとでは仕分けユニット１１４への排紙の際のシートの面が異なる。即ち、片面印刷の場合はシート巻取りユニット１１３を用いたシートの反転が行われないので、先頭ページの画像が印刷されたシートは先頭ページの画像が下を向いた状態で排出される。そして１つの印刷ジョブが複数ページあるジョブの場合、先頭ページのシートからトレーに排出され、以後後続のページへと順次排出されシートが重なっていく。このような排出をフェイスダウン排出と呼ぶ。一方、両面印刷の場合はシート巻取りユニット１１３を用いたシートの反転が行われるので、先頭ページの画像が印刷されたシートは先頭ページの画像が上を向いた状態で排出される。そして１つの印刷ジョブが複数枚のシートの出力を行うジョブの場合、最後のページを含むシートからトレーに排紙され、以後若いページのシートへと順次排出されシートが重なっていき、最終的に先頭ページの画像が印刷されたシートが排出される。このような排出をフェイスアップ排出と呼ぶ。なお、片面印刷の場合と両面への印刷の場合とでシートの排出の際のシートの面を同じ（フェイスアップまたはフェイスダウンに統一）とすべく、片面印刷時と両面印刷時とで第１面の印刷順序（降順とするか昇順とするか）を変えるようにしてもよい。
【００２８】
操作ユニット１１５は、ユーザが種々の操作を行ったり、ユーザに種々の情報を通知したりするためのユニットである。例えば、ユーザに指定された画像が印刷されたシートはどこのトレーに積載されているか、あるいは当該画像が印刷中か印刷終了かなど、オーダー毎の印刷状況の確認が可能である。また、インク残量や、シートの残量等、装置の各種状態の確認、ヘッドクリーニング等の装置メンテナンスの実施の指示を行うためにユーザが操作／確認可能である。
【００２９】
図２は、図１で示した画像形成装置における制御に関わる構成を説明するためのブロック図である。画像形成装置２００は図１に示した画像形成装置である。
【００３０】
ＣＰＵ２０１、ＲＯＭ２０２、ＲＡＭ２０３、画像処理部２０７、エンジン制御部２０８、スキャナ制御部２０９が主に制御ユニット１０８に含まれる。そして、制御ユニット１０８にＨＤＤ２０４、操作部２０６、外部Ｉ／Ｆ２０５などがシステムバス２１０を介して接続される。
【００３１】
ＣＰＵ２０１は、マイクロプロセッサ（マイクロコンピュータ）形態の中央演算処理部であり、図１の制御ユニット１０８に含まれる。ＣＰＵ２０１は、プログラムの実行やハードウェアの起動により画像形成装置２００全体の動作を制御する。ＲＯＭ２０２は、ＣＰＵ２０１が実行するためのプログラムや画像形成装置２００の各種動作に必要な固定データを格納する。ＲＡＭ２０３は、ＣＰＵ２０１のワークエリアとして用いられたり、種々の受信データの一時格納領域として用いられたり、各種設定データを記憶させたりする。ＨＤＤ２０４は、ＣＰＵ２０１が実行するためのプログラム、印刷データ、画像形成装置２００の各種動作に必要な設定情報を、内蔵するハードディスクに記憶させたり、読み出したりすることが可能である。また、ＨＤＤ２０４は印刷ジョブを管理するキューを構築し、画像形成装置２００に投入されたジョブを順次キューに登録する。なお、ＨＤＤ２０４に代えて、他の大容量記憶装置としてもよい。後述するフローチャートは、ＣＰＵ２０１がＲＯＭ２０２またはＨＤＤ２０４に記憶されたプログラムコードをＲＡＭ２０３にロードし、それを実行することによりなされる処理の流れを示す。
【００３２】
操作部２０６は、ユーザが種々の操作を行うためのハードキーやタッチパネル、またユーザに種々の情報を提示（通知）するための表示部を含み、図１の操作ユニット１１５に対応するものである。またユーザへの情報の提示は音声発生器からの音響情報に基づく音響（ブザー、音声等）を出力することによっても行うこともできる。
【００３３】
画像処理部２０７は、画像形成装置２００で扱う印刷データ（例えば、ページ記述言語で表されたデータ）の画像データ（ビットマップ画像）への展開（変換）や画像処理を行う。入力された印刷データに含まれる画像データの色空間（たとえばＹＣｂＣｒ）を、標準的なＲＧＢ色空間（たとえばｓＲＧＢ）に変換する。また、画像データに対し、有効な（画像形成装置２００が印刷処理可能な）画素数への解像度変換、画像解析、画像補正等、様々な画像処理が必要に応じて施される。これらの画像処理によって得られた画像データは、ＲＡＭ２０３または、ＨＤＤ２０４に格納される。また、画像処理部２０７と外部Ｉ／Ｆ２０５とは画像形成装置２００の主電源とは別に電源を供給することが可能である。そして、主電源をＯＦＦにした状態でホスト装置２１１から印刷ジョブを受け付け、一部の画像処理を施した状態でＨＤＤ２０４に記憶させておくことが可能である。また、画像形成装置２００の主電源をＯＦＦにして画像処理部２０７に電源を供給させておくことにより、メンテナンス処理をジョブとしてＨＤＤ２０４において待機させておくことも可能である。
【００３４】
エンジン制御部２０８は、ＣＰＵ２０１等から受信した制御コマンドに応じて、印刷データに基づく画像をシート上に印刷する処理の制御を行う。各色の印刷ヘッド１０６へのインク吐出指示や、記録媒体上でのドット位置（インクの着弾位置）を調整するための吐出タイミング設定、ヘッド駆動状態取得に基づく調整等を行う。印刷データに応じて印刷ヘッドの駆動制御を行い、印刷ヘッドからインクを吐出させシート上に画像を形成させる。また、カセットからシートを引き出す引き出しローラの駆動指示、引き出されたシートを搬送させる搬送ローラの駆動指示、搬送ローラの回転状況取得等を行う等、搬送ローラの制御を行い、シートを適切な速度及び経路で搬送および停止させる。
【００３５】
スキャナ制御部２０９は、ＣＰＵ２０１等から受信した制御コマンドに応じて、イメージセンサーの制御を行い、シート上の画像を読取り、赤（Ｒ）、緑（Ｇ）および青（Ｂ）色のアナログ輝度データを取得し、デジタルデータに変換する。イメージセンサーとしては、ＣＣＤイメージセンサーやＣＭＯＳイメージセンサー等を採用可能である。また、イメージセンサーはリニアイメージセンサーとしてもエリアイメージセンサーとしてもよい。また、スキャナ制御部２０９は、イメージセンサーの駆動指示、該駆動に基づくイメージセンサーの状況取得を行い、イメージセンサーから取得した輝度データを解析し、印刷ヘッド１０６からのインクの不吐やシートの切断位置の検出等を行う。スキャナ制御部２０９で画像が正しく印刷されていると判定されたシートは、シート上のインクの乾燥処理が施された後に、指定された仕分けユニットのトレーに排出される。
【００３６】
ホスト装置２１１は、上述した外部装置に対応し、本画像形成装置２００の外部に接続され、画像形成装置２００に印刷を行わせるための画像データの供給源となる装置であり、種々の印刷ジョブのオーダーを発行する。
【００３７】
ホスト装置２１１は、汎用のパーソナルコンピュータ（ＰＣ）によって実現してもよいし、他のタイプのデータ供給装置としてもよい。他のタイプのデータ供給装置としては、画像をキャプチャーして画像データを生成する画像キャプチャー装置がある。画像キャプチャー装置は、原稿上の画像を読取って画像データを生成するリーダ（スキャナ）、ネガフィルムやポジフィルムを読取って画像データを生成するフィルムスキャナなどである。また、画像キャプチャー装置の他の例として静止画を撮影してデジタル画像データを生成するデジタルカメラ、動画を撮影して動画像データを生成するデジタルビデオもある。その他、ネットワーク上にフォトストレージを設置したり、着脱可能な可搬性メモリを挿入するソケットを設けたりし、フォトストレージや可搬性メモリに格納された画像ファイルを読み出して画像データに生成して印刷するものとしてもよい。また、汎用的なＰＣに代え、本画像形成装置専用の端末とするなど、種々のデータ供給装置としてもよい。これらのデータ供給装置は画像形成装置の構成要素としてもよいし、画像形成装置の外部に接続した別の装置としてもよい。また、ホスト装置２１１をＰＣとした場合、ＰＣの記憶装置に、ＯＳ、画像データを生成するアプリケーションソフトウェア、画像形成装置２００用のプリンタドライバがインストールされる。プリンタドライバは、本画像形成装置２００を制御したり、アプリケーションソフトウェアから供給された画像データを画像形成装置２００が扱える形式に変換して印刷データを生成したりする。また、印刷データから画像データへの変換をホスト装置２１１側で行ってから画像形成装置２００に供給するようにしてもよい。なお、以上の処理の全てをソフトウェアで実現することは必須ではなく、一部または全部をＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアによって実現するようにしてもよい。ホスト装置２１１から供給される画像データやその他のコマンド、更にステータス信号等は、外部Ｉ／Ｆ２０５を介して画像形成装置２００と送受信可能である。外部Ｉ／Ｆ２０５はローカルＩ／ＦであってもネットワークＩ／Ｆであってもよい。また、外部Ｉ／Ｆ２０５は、有線による接続であっても無線による接続であっても構わない。
【００３８】
画像形成装置２００内の上記した各構成はシステムバス２１０を介して接続され、互いに通信可能である。
【００３９】
なお、以上の例では、１つのＣＰＵ２０１が図２に示した画像形成装置２００内の全ての構成要素を制御するものとしたが、この構成以外としてもよい。即ち、各機能ブロックのいくつかが別途ＣＰＵを備え、それぞれのＣＰＵによって個別に制御するものとしてもよい。また、各機能ブロックは図２に示した構成以外の分担のさせ方により個別の処理部または制御部として適宜分割したり、いくつかを統合したりするなど、種々の形態を採用可能である。また、メモリからのデータの読み出しにはＤＭＡＣ（Ｄｉｒｅｃｔ  Ｍｅｍｏｒｙ  Ａｃｃｅｓｓ  Ｃｏｎｔｒｏｌｌｅｒ）も用いることもできる。
【００４０】
次に画像形成装置２００におけるメンテナンス処理について説明する。図３は、印刷ヘッド１０６が吐出したドット数（ドットカウント）が規定値を超えている場合に行われるメンテナンス０１の処理の流れを示すフローチャートである。メンテナンス０１では、クリーニングＡ、メンテナンスＡ、メンテナンスＢを順次行う。クリーニングＡでは、印刷ヘッド１０６の全ノズルの吸引処理を実行し、さらに印刷ヘッド１０６の吐出面の拭き取り（ワイピング）を行う。メンテナンスＡでは、印刷ヘッド１０６を用いてシート上にメンテナンスＡ用の所定のパターンを印刷し、その画像をスキャナユニット１０７で読み取らせることにより、印刷ヘッド１０６の吐出不良を検知し、それを補正する処理を行う。メンテナンスＢでは、印刷ヘッド１０６を用いてシート上にメンテナンスＢ用の所定のパターンを印刷し、その画像をスキャナユニット１０７で読み取らせることにより、印刷ヘッド１０６の各ノズルからのインクの吐出状態のばらつきの補正を行う。ＣＰＵ２０１は、印刷ヘッド１０６がインクを吐出する度にドットカウント値を加算していき、ドットカウント値が規定値を超えていると判断された場合にメンテナンス０１を実行させる。ドットカウント値はＲＡＭ２０３に記憶するものとし、規定値は予め決められた値である。また、ＣＰＵ２０１は、メンテナンス０１をジョブとして管理し、通常の印刷ジョブ（ホスト装置２１１から投入される印刷ジョブ）と同様に扱う。
【００４１】
Ｓ３０１では、印刷ヘッド１０６のドットカウント値がメンテナンス０１ジョブを実施する必要がある規定値を超えているか確認する。規定値を超えていると判断された場合、メンテナンス０１のジョブを画像処理部２０５によって生成する。これにより通常の印刷ジョブと同じキューに当該メンテナンス用のジョブが登録されることになるが、メンテナンス処理はできる限り早く開始させるため、まだ印刷が開始されていない印刷ジョブより先に実行されるようキューの順序を入れ替える。即ち、待機中の印刷ジョブの先頭に当該メンテナンス処理のジョブを登録する。ただし、他のメンテナンス処理のジョブが既にキューに存在する場合、そのジョブの後に登録する。
【００４２】
キューに登録されたメンテナンス０１を実行する順番になると、Ｓ３０２においてカセット１０１ａ、１０１ｂにセットされているシートのうちメンテナンス処理に使用可能なシートを選択する。メンテナンス処理に使用可能なシートはシートのサイズ及び材質に従って予め優先順位が設定され、カセット１０１ａまたは１０１ｂにセットされているシートのうち優先順位のより高いものを選択する。優先順位は最も無駄な領域が少なくなるサイズのシートを高くする。即ち、印刷ヘッド１０６の幅の半分の幅に近いサイズのシートの優先順位を高く設定する。また、シートの材質は普通紙、光沢紙の順に優先順位を高くする。
【００４３】
そしてＳ３０３において、画像形成装置２００において印刷が行えないようなエラーが発生しているか判断し、エラーが発生していると判断された場合には操作部２０６にエラー表示をするなどしてここで処理を終了する。エラーが発生していないと判断された場合にはＳ３０４に進む。
【００４４】
Ｓ３０４では、クリーニングＡの処理を実行する。クリーニングＡの処理が終了するとＳ３０５に進み、印刷ヘッド１０６の一部のノズル群を用いて１回目のメンテナンスＡの処理を行う。そしてＳ３０６に進み印刷ヘッド１０６の全幅分（全ノズル）のメンテナンスＡの処理が終わったと判定されるまで、Ｓ３０７において印刷ヘッド１０６のＹ移動、処理対象のノズルの変更を行い、メンテナンスＡの処理を繰り返す。ここでメンテナンスＡの処理を繰り返す回数はＳ３０２で選択されたシートの幅に応じて異なる。メンテナンスＡの処理においてはメンテナンスＡ用パターンの印刷の際のシート搬送速度と、印刷されたパターンをスキャナユニット１０７で読み取らせる際のシート搬送速度とが異なる（後者の方が低速）。従って、ＣＰＵ２０１は、パターン印刷時とパターン読取時とでシート搬送速度を変更する制御を行う。ここでは次のようにしてシート搬送速度の変更を行う。まず、メンテナンスＡ用パターンの印刷を速度Ａでシートを搬送させながら行い、一旦パターンが印刷された箇所をスキャナユニット１０７より先まで通過させ、その後搬送動作を停止させる。そして搬送モータを逆転させ、シートをスキャナユニット１０７の手前まで戻し、次に搬送速度を先のパターン印刷時より低速の速度Ｂに切り替えてシートを再度搬送させてスキャナユニット１０７によってパターンの読み取りを行わせる。そして、その読み取りの結果を解析することにより不吐出ノズルの有無、不吐出があった場合そのノズルを検知する。この検知結果はエンジン制御部２０８に含まれる不揮発性メモリに記憶させる。これにより、メンテナンスＡ用パターンを、低速でシートを搬送させながらスキャナユニット１０７に読み取らせることができるので精度良く不吐出ノズルの検知が行える。また、不吐出のノズルがあった場合、そのノズルを特定し、当該ノズルからの吐出を禁止し、近傍の他のノズルからの吐出による補完処理を行うようエンジン制御部２０８に設定する。Ｓ３０６で印刷ヘッド１０６の全幅分のメンテナンスＡの処理が終了したと判断されるとＳ３０８に進み、メンテナンスＢの処理を行う。
【００４５】
Ｓ３０８では、印刷ヘッド１０６のメンテナンスＢの処理を開始する。ここではメンテナンスＡと同様に選択されたシートに吐出できる分のノズルを用いてＳ３０９において全幅分のメンテナンス処理が終了したと判断されるまで複数回に分けてＳ３０８とＳ３１０の処理を繰り返し、メンテナンスＢの処理を行う。メンテナンスＢの処理においてもメンテナンス用パターン（パターンはメンテナンスＢ用）の印刷を行い、その結果をスキャナユニット１０７で読み取らせる点はメンテナンスＡと同様である。しかし、メンテナンスＢにおいてはインクの吐出状態を判定するに当たってパターン印刷後、乾燥を十分に行ってからスキャナユニット１０７による読み取りを行わせる。従って、メンテナンスＢ用パターンを、シートを速度Ａで搬送させながら印刷させた後、パターンが印刷された箇所をスキャナユニット１０７より先まで通過させ、さらにパターンの後端が乾燥ユニット１１２を抜けるまで搬送を継続させる。その後、シートの搬送を停止させ、速度Ｂでシートを逆搬送させる。これにより十分な乾燥処理を行わせることができる。その後、シートの先端が搬送ユニット１０２まで戻ってきたらシートの搬送を停止させ、再びスキャナユニット１０７に向けて正方向に速度Ｂで搬送させる。そして、スキャナユニット１０７でパターン印刷結果の読み取りを行わせ、その結果をエンジン制御部２０８に転送する。エンジン制御部２０８では取得した読取結果を解析し、インクの吐出結果のばらつき等を解析し、その結果に従って画像処理部２０５において画像補正用テーブルを作成させる。画像補正テーブルはインクの吐出量の少ない箇所を周辺の画素で補間させるためのパターンを示すテーブルである。このテーブルは画像処理部２０５の不揮発性メモリに記憶し、通常の印刷ジョブの実行時にこれを参照して画像データの補正を実行させることになる。
【００４６】
なお、メンテナンスＢの処理は、画像補正テーブルを作成した後、このテーブルに従って補正したうえでメンテナンスＢ用のパターンを印刷し、適切な状態となるまでＳ３０８〜３１０の処理を繰り返し、テーブルの内容を書き換えるようにしてもよい。
【００４７】
Ｓ３０９においてメンテナンスＢの処理が終了したと判断されるとメンテナンス０１の処理を終了し、メンテナンス０１をジョブのキューから削除する。そしてメンテナンス０１用のドットカウントの値をクリアし、メンテナンス０１の状態を実施済みとしてＲＡＭ２０３に記憶しておく。
【００４８】
次にメンテナンス０１とは異なるメンテナンス処理であるメンテナンス０２について説明する。図４は、メンテナンス０２の処理の流れを示すフローチャートである。メンテナンス０２もここではメンテナンス０１と同様にドットカウントが規定値を超えている場合に行われるものとするが、この規定値はメンテナンス０１のものとは異なる、予め決められた値とする。ただし、メンテナンス０１用の規定値とメンテナンス０２用の規定値とはユーザが適宜設定できるものとしてもよい。また、ドットカウントが規定値を超えた場合以外の条件で実行させるものとしてもよい。メンテナンス０２では、クリーニングＡ、メンテナンスＣを順次実行させる。メンテナンスＣでは、印刷ヘッド１０６を用いてシート上にメンテナンスＣ用の所定のパターンを印刷し、その画像をスキャナユニット１０７で読み取らせることにより、印刷ヘッド１０６の各ノズルからのインクの吐出量の調整を行う。ＣＰＵ２０１は、メンテナンス０２もメンテナンス０１と同様にジョブとして管理し、通常の印刷ジョブと同様に扱う。
【００４９】
Ｓ４０１ではメンテナンス０２用のドットカウント値が規定値を超えているか確認し、超えていると判断された場合、図３のＳ３０１〜３０４と同様にＳ４０１〜Ｓ４０４を経てクリーニングＡの処理までを行う。Ｓ４０４においてクリーニングＡの処理が終了するとＳ４０５に進み、メンテナンスＣの処理を行う。
【００５０】
メンテナンスＣの処理ではメンテナンスＢと同様にメンテナンス用パターン（パターンはメンテナンスＣ用）の印刷を行い、スキャナユニット１０７で読み取らせる。またこの際、乾燥ユニット１１２による十分な乾燥を行う点、スキャナユニット１０７でパターン画像を読み取らせる点などもメンテナンスＢと同様である。
【００５１】
メンテナンスＣとメンテナンスＢとは印刷させるパターン、印刷されたパターンを読み取った後の解析処理、解析結果に基づく補正の方法がそれぞれ異なる。メンテナンスＣでは、パターンを読み取った結果を解析し、印刷ヘッド１０６のノズル毎、あるいは各ノズルをグループ化したグループ毎にインク吐出量の多少を複数レベルで判定する。そして、吐出量の少ないノズルまたはグループのノズル群のインク吐出エネルギーを高くし、逆に吐出量の多いノズルまたはグループのノズル群のインク吐出エネルギーを低くするようエンジン制御部２０８に設定する。エンジン制御部２０８は各ノズルまたはグループのノズル群と対応付けてこの解析結果に基づくインク吐出エネルギーのレベルを不揮発性メモリに記憶し、通常の印刷ジョブの実行の際、これに従ってインク吐出エネルギーを制御して印刷を実行することになる。
【００５２】
そして、Ｓ４０６でヘッド全幅分のメンテナンスＣの処理が終了したと判断されるまでＳ４０７とＳ４０８の処理を繰り返す。ただし、インク吐出エネルギーの設定を変更した場合、その変更後のエネルギーによってメンテナンスＣのパターンを印刷させ、適切な状態となるまでＳ４０５〜４０７の処理を繰り返して吐出エネルギーを決定するようにしてもよい。
【００５３】
Ｓ４０６においてメンテナンスＣの処理が終了したと判断されるとメンテナンス０２の処理を終了し、メンテナンス０２をジョブのキューから削除する。そしてメンテナンス０２用のドットカウントの値をクリアし、メンテナンス０２の状態を実施済みとしてＲＡＭ２０３に記憶しておく。
【００５４】
次に複数のメンテナンス処理のジョブがキューに登録された場合、あるいは複数のメンテナンス処理を行うための条件が成立した場合の処理について説明する。メンテナンス０１または０２の実行条件が成立したときに他方のメンテナンスジョブが既にキューに存在している、またはキューに登録する前に両方のメンテナンスの実行条件が成立した場合、それぞれを個別に実行するのではなく、新たなジョブを生成する。即ち、このような場合、メンテナンス０１と０２はクリーニングＡの処理が重複しているため、クリーニングＡ、メンテナンスＣ、メンテナンスＡ、メンテナンスＢを順次実行するメンテナンス０３を、メンテナンス０１、０２の代わりにキューに登録する。既にメンテナンス０１、０２の一方あるいは両方がジョブとしてキューに登録され、未実施であればこれらを削除しメンテナンス０３をジョブとしてキューの先頭に登録する。図５はメンテナンス０３の処理の流れを示すフローチャートである。
【００５５】
メンテナンス０１用とメンテナンス０２用のドットカウント値を確認したタイミングで、双方のドットカウント値が規定値を超えていた場合にメンテナンス０３のジョブをキューに登録し、図５のフローチャートが開始される。また、次のような場合も図５のフローチャートが実行される。即ち、メンテナンス０１のジョブがキューに登録され、それが未実施の状態である時に、メンテナンス０２用のドットカウント値が規定値を超えていた場合、またはメンテナンス０１と０２の関係がそれとは逆の場合である。これらの場合、既にキューに登録されていたメンテナンス処理のジョブをキューから削除し、メンテナンス０３のジョブを新たにキューに登録する。
【００５６】
図５において、各ステップにおける処理は図３、４で説明したものと同様であり、ここでの説明は省略する。そして、メンテナンス０３の処理が終了した場合、メンテナンス０１用のドットカウントとメンテナンス０２用のドットカウントの値をクリアし、メンテナンス０１とメンテナンス０２の状態を実施済みとしてＲＡＭ２０３に記憶しておく。
【００５７】
次にメンテナンス０１、０２、０３をジョブとしてキューに登録する際の処理について説明する。図６はこの処理の流れを示すフローチャートである。
【００５８】
Ｓ６０１において画像形成装置２００の電源がＯＮにされると各部の初期化処理を行うとともに、画像形成装置２００に投入済みで未実施のジョブがＨＤＤ２０４に記憶されているか確認する。例えば、画像処理部２０７に個別に電源を供給できるタイプの装置の場合、画像形成装置２００の電源がＯＦＦにされても画像処理部２０７においてジョブを受け付け、ＨＤＤ２０４に記憶させておいたり一部の画像処理を進めておくことができる。そのため、ＨＤＤ２０４に未実施のジョブが残っている可能性があるため、それを確認する。また、画像形成装置２００が電源ＯＦＦの状態に投入されうるジョブ以外、画像形成装置２００が電源ＯＮの状態でジョブを受け付けたが、それを実施せずに電源ＯＦＦとなった場合もあり、そのジョブの確認も行う。
【００５９】
そしてＳ６０２では、既にメンテナンス０３のジョブが投入されている（キューに登録されている）か判断する。既にメンテナンス０３のジョブがキューに登録されていると判断された場合は当該メンテナンス０３のジョブをキューの先頭とし、ここで図６のフローを抜けて図５に示したようにメンテナンス０３の処理を実行させる。既にメンテナンス０３のジョブがキューに登録されていないと判断された場合はＳ６０３に進む。
【００６０】
Ｓ６０３では、メンテナンス０１用のドットカウント値がメンテナンス０１用の規定値を超えているか判断する。超えていると判断された場合はＳ６０４に進み、メンテナンス０１用のジョブフラグをＯＮにする。このジョブフラグとは、メンテナンス０１を実行すべき状態にあることを示すフラグである。
【００６１】
次にＳ６０５において、メンテナンス０２用のドットカウント値がメンテナンス０２用の規定値を超えているか判断する。超えていると判断された場合はＳ６０６に進み、メンテナンス０２用のジョブフラグをＯＮにする。
【００６２】
次にＳ６０７において、メンテナンス０１用のジョブフラグとメンテナンス０２用のジョブフラグの両方がＯＮであるか判断する。両方がＯＮであると判断された場合はＳ６０８に進み、いずれか一方でもＯＦＦであると判断された場合はＳ６１３に進む。
【００６３】
Ｓ６０８では、メンテナンス０１のジョブが既にキューに登録されているか判断する。既にキューに登録されていると判断された場合、Ｓ６０９において当該メンテナンス０１のジョブをキューから削除してＳ６１０に進む。
【００６４】
Ｓ６１０では、メンテナンス０２のジョブが既にキューに登録されているか判断する。既にキューに登録されていると判断された場合、Ｓ６１１において当該メンテナンス０２のジョブをキューから削除してＳ６１２に進む。
【００６５】
Ｓ６１２では、上述したようにメンテナンス０１とメンテナンス０２とを結合するとともに、重複しているクリーニングＡを１つに統合したメンテナンス０３のジョブを生成し、キューの先頭に登録する。そしてここで図６のフローを抜けて図５に示したようにメンテナンス０３の処理を実行させる。
【００６６】
Ｓ６１３では、メンテナンス０１用のジョブフラグがＯＮであるか判断し、ＯＮであればＳ６１４に進み、既にメンテナンス０１のジョブがキューに登録されているか判断する。Ｓ６１４でジョブが登録されていないと判断された場合はここで実行すべきメンテナンス処理がメンテナンス０１のみのためＳ６１５でメンテナンス０１のジョブをキューの先頭に登録する。Ｓ６１３でジョブフラグがＯＮではないと判断された場合は、メンテナンス０１を実行すべき状態ではない場合であり、そのままＳ６１６に進む。Ｓ６１４で既にジョブが登録されていると判断された場合及びＳ６１５でジョブが登録された場合、他の印刷ジョブより優先させて図３に示したメンテナンス０１の処理を実行させる。
【００６７】
Ｓ６１６では、メンテナンス０２用のジョブフラグがＯＮであるか判断し、ＯＮであればＳ６１７に進み、既にメンテナンス０２のジョブがキューに登録されているか判断する。Ｓ６１７でジョブが登録されていないと判断された場合はここで実行すべきメンテナンス処理がメンテナンス０２のみのためＳ６１８でメンテナンス０２のジョブをキューの先頭に登録する。Ｓ６１６でジョブフラグがＯＮではないと判断された場合は、メンテナンス０２を実行すべき状態ではない場合であり、いずれのメンテナンス処理も行うべき状態でないためここで図６のフローを抜ける。Ｓ６１７で既にジョブが登録されていると判断された場合及びＳ６１８でジョブが登録された場合、他の印刷ジョブより優先させて図４に示したメンテナンス０２の処理を実行させる。
【００６８】
以上のようにして既に同一のメンテナンス処理のジョブが投入されている場合は重複して同じメンテナンス処理のジョブを投入しないようにし、同じメンテナンス処理が短期間のうちに行われることを防止する。また、異なるメンテナンス処理が投入された場合であっても共通する処理は重複して実行させないようにして同じ処理が短期間のうちに重複して実行されることを防止する。これにより無駄にインクやシートを使用してしまうことを防止したり、通常の印刷ジョブの待ち時間を減らすことなどができる。
【００６９】
なお、図６のフローでは電源をＯＮにしたときに未実施のジョブを確認するものとしたが、電源ＯＮ時以外にも逐次新たに投入されたジョブの監視を行い、Ｓ６０２以降の処理は実行される。
【００７０】
また、以上の説明ではメンテナンス処理として２種類のものを示したが、これら以外のものとしてもよい。いずれにしても共通の処理が重複して実行されるのを防止し、効率化を図るようにする。また、メンテナンス処理の実行の条件としてドットカウント値が規定値を超えたことを例に説明したが、他の条件を組合せるなどしてもよい。他の条件としては、所定時間の経過毎、待機時間が所定期間となった、所定枚数分の印刷を行った、装置起動時、シートの交換時、インク交換時などである。またドットカウント値も全てのインク色に対する総ドット数としたり、インク色毎のドット数とするなど種々の条件とすることができる。また、自動でメンテナンス処理を行うものばかりでなく、操作部２０６を介してユーザにより指示されることによってメンテナンス処理を行うものも含む。
【００７１】
また、以上の例ではメンテナンス処理をジョブとして扱うものとしたが、ジョブとして扱わない場合であっても、重複した処理を一つに統合したり、同じ処理を連続して行わないようにして同等の効果を得るようにしてもよい。また、以上の説明では重複した処理の統合において単純に一つのみとする例について説明したが、重複した処理の統合に際して単独で実行する場合より所定時間分長く処理を行うようにしてもよい。
【００７２】
なお、以上の説明において、印刷を行う部分を除いた、メンテナンスジョブ投入のスケジューリング等の処理をホスト装置や外付けコントローラなどの外部装置で実現し、それに従って画像形成装置でジョブを実行させるようにしてもよい。その際、外部装置は画像形成装置からステータスを取得してジョブ順序や結合方法を決定することになる。
【００７３】
また、本実施形態は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。また、プログラムは、１つのコンピュータで実行させても、複数のコンピュータが連動して実行するようにしてもよい。また、上記した処理の全てをソフトウェアで実現する必要はなく、一部または全部をハードウェアによって実現するようにしてもよい。
【００７４】
また、本発明は上記実施形態に限定されるものではなく、本発明の趣旨に基づき種々の変形（他の実施形態への応用、他の実施形態との組合せ等を含む）も可能である。
【図１】
0005901221.tif 000002
【図２】
0005901221.tif 000003
【図３】
0005901221.tif 000004
【図４】
0005901221.tif 000005
【図５】
0005901221.tif 000006
【図６】
0005901221.tif 000007